(57)【要約】      （修正有）【課題】企業などが自社で廃棄物を裁断処理する裁断装置の設置が不用であり、廃棄物の処理コストを大幅に低下させることが可能であり、かつ廃棄物に含まれる機密情報などが第三者に漏れるおそれのない状態で処理することが可能な廃棄物処理装置搭載トラックを提供する。【解決手段】トラック１の荷台２に、書類などの廃棄物を細かく裁断する裁断装置３と、細かく裁断された廃棄物を固形物に圧縮する固形圧縮装置４とをそれぞれ搭載すると共に、両装置駆動用の電気を供給する発電装置５を搭載し、前記裁断装置３と固形圧縮装置４とをフレキシブルなスクリューコンベア６を介して連結し、このスクリューコンベア６を経て裁断装置３で細かく裁断された廃棄物を固形圧縮装置４へ移送させるようにして成る。【選択図】図１
0003112879.tif 000002
【実用新案登録請求の範囲】
【請求項１】
トラックの荷台に、書類などの廃棄物を細かく裁断する裁断装置と、細かく裁断された廃棄物を固形物に圧縮する固形圧縮装置とをそれぞれ搭載すると共に、両装置駆動用の電気を供給する発電装置を搭載し、前記裁断装置と固形圧縮装置とをフレキシブルなスクリューコンベアを介して連結し、このスクリューコンベアを経て裁断装置で細かく裁断された廃棄物を固形圧縮装置へ移送させるようにしたことを特徴とする廃棄物処理装置搭載トラック。
【考案の詳細な説明】
【技術分野】
【０００１】
本考案は、廃棄物処理装置搭載トラックに関する。
【背景技術】
【０００２】
近年、企業などでは、大量に発生する書類などの廃棄物を処理するために、当該廃棄物を細かく裁断する裁断装置（シュレッダー）を設置しているところが増加する傾向にある。
【０００３】
そして、この裁断装置によって細かく裁断された大量の廃棄物は自社内で処分することが難しいため、専門の廃棄物処理業者に処理を委託することが多い。委託された廃棄物処理業者は廃棄物を所定の焼却施設に持ち込みそのまま焼却処理するか、あるいは再生紙などにリサイクルするリサイクル業者へ売却する。
【特許文献１】特になし
【考案の開示】
【考案が解決しようとする課題】
【０００４】
ところで、企業などで発生する書類などの廃棄物には各種機密情報なども含まれているものも多くあり裁断装置による裁断処理は欠かせないが、廃棄物が大量に発生すればするほど多数の裁断装置の設置が必要になり、保管スペースを広くとらなければならない問題がある。
【０００５】
また、多数の裁断装置を操作したり、あるいはメンテナンスのための手間に要する人件費、電気料金などのランニングコストが装置の価格に加わるため全体としての処理コストが極めて高くなるという問題がある。
【０００６】
本考案は、前記した従来の技術が有するこのような問題点を解消するもので、企業などが自社で廃棄物を裁断処理する裁断装置の設置が不用であり、廃棄物の処理コストを大幅に低下させることが可能であり、かつ廃棄物に含まれる機密情報などが第三者に漏れるおそれのない状態で処理することが可能な廃棄物処理装置搭載トラックを提供することを目的とする。
【課題を解決するための手段】
【０００７】
前記目的を達成するために、本考案に係わる廃棄物処理装置搭載トラックは、トラックの荷台に、書類などの廃棄物を細かく裁断する裁断装置と、細かく裁断された廃棄物を固形物に圧縮する固形圧縮装置とをそれぞれ搭載すると共に、両装置駆動用の電気を供給する発電装置を搭載し、前記裁断装置と固形圧縮装置とをフレキシブルなスクリューコンベアを介して連結し、このスクリューコンベアを経て裁断装置で細かく裁断された廃棄物を固形圧縮装置へ移送させるようにしたことを特徴とする。
【考案の効果】
【０００８】
本考案は、以上のとおり構成されるもので、書類など大量の廃棄物を発生させる企業などの委託を受けて当該企業へ出向き、その場で廃棄物を裁断、固形物に圧縮処理することが可能となるものであるから、企業などが裁断装置（シュレッダー）を設置することが不用となり、スペースの有効利用が可能であると共に、裁断装置の操作、メンテナンスのための手間に要する人件費、電気料金などのランニングコストおよび装置の価格を含む廃棄物の処理コストを大幅に低下させることができる。
【０００９】
また、廃棄物に企業などの各種機密情報が含まれている場合でも出向先で担当者立会いのもとで当該廃棄物を処理することができるため重要な機密情報が外部に漏洩することがない。
【００１０】
さらに、トラックを使うので多数の企業などへ短時間で巡回することが可能となり、廃棄物の収集、処理、業者への搬送などの作業を効率良く行なうことができる。
【００１１】
さらにまた、本考案の廃棄物処理装置搭載トラックでは、書類などの廃棄物を細かく裁断する裁断装置と、細かく裁断された廃棄物を固形物に圧縮成形する固形圧縮装置とをフレキシブルなスクリューコンベアを介して連絡しているので、裁断装置で裁断された廃棄物を円滑かつ確実、迅速に固形圧縮装置へ移送することができる。
【考案を実施するための最良の形態】
【００１２】
以下、本考案を実施するための最良の形態について図面を参照して詳細に説明すると、図面に示される符号１は、廃棄物処理装置搭載トラックであって、荷台２には、書類などの廃棄物を細かく裁断する裁断装置（シュレッダー）３と細かく裁断された廃棄物を固形物に圧縮する固形圧縮装置４がそれぞれ搭載されている。
【００１３】
裁断装置３は、上方に廃棄物の投入用のホッパー３ａを有し、下方に当該廃棄物を細切りする回転刃３ｂ、その駆動装置３ｃなどからなる処理部３ｄを備えている。これらホッパー３ａはおよび処理部３ｂは、段ボールに入れた紙などの廃棄物を段ボールごと投入処理できるサイズおよび機能を有するように構成するのが望ましい。
【００１４】
固形圧縮装置４は、片側に裁断装置３によって細かく裁断された廃棄物を投入するホッパー４ａを有し、反対側に当該廃棄物を加圧して円柱状の固形物に圧縮成形する処理部４ｂおよび排出部４ｃなどを備えている。
【００１５】
図面において、５は、裁断装置３と固形圧縮装置４、駆動用の電気を供給する発電装置である。図示例ではトラック１の荷台２に、その前方より後方へ発電装置５、裁断装置３、固形圧縮装置４が順次搭載されているが、これら配置に限定されるものでないことは勿論である。
【００１６】
また、図面において、６は、裁断装置３と固形圧縮装置４とを連結するフレキシブルなスクリューコンベアである。このスクリューコンベア６は、その一端が裁断装置３下方の処理部３ｄに連通接続される一方、他端が固形圧縮装置４のホッパー４ａ上方に臨ませつつアダプタ７を介して当該ホッパー４ａ上端に取りつけられている。
【００１７】
次に、以上のように構成された最良の形態ついての使用、動作の一例について説明すると、先ず、廃棄物処理装置搭載トラック１で委託先企業などへ出向き、トラック１を所定の位置に停車させる。
【００１８】
この状態で企業などから廃棄物を集荷し、トラック１の停止位置まで持ち込み、そのままトラック１の荷台２に搭載された裁断装置３のホッパー３ａ内へ投入する。このさい、既述したように構成することで、ダンボールに入れた廃棄物はダンボールごと投入することができる。
【００１９】
こうして裁断装置３のホッパー３ａ内に投入された廃棄物は、その下方に配置された処理部３ｄで裁断、処理されて小片状の廃棄物に細切りされ、スクリューコンベア６を介して固形圧縮装置４へ移送される。
【００２０】
スクリューコンベア６の他端は、固形圧縮装置４のホッパー４ａ上方にアダプタ７を介して取りつけられているため、裁断装置３から移送された廃棄物はホッパー４ａの中央に投入され、ホッパー４ａに隣接する処理部４ｂでチップ状の固形物に圧縮成形される。そして、このように圧縮成形された固形物は排出部４ｃから排出される。なお、排出部４ｃには排出管（不図示）を連結し、当該排出管他端から固形物を連続的に集配容器（不図示）に収集するようにすると良い。
【００２１】
以上のようにして集配容器に収集された固形物が書類などの紙くずを原料とする場合はトラック１の荷台２に積んだまま古紙業者へ持ち込むことができる。そして、さらに、古紙業者は提携する製紙工場へ持ち込んでトイレットペーパーなどに再生することができる。
【００２２】
一方、固形物ｂが固形燃料の場合は、工場、ゴミ処理場、燃料店などに、また、産業廃棄物の場合には、産業廃棄物の収集運搬車として中間処理業者等へ持ち込むことができる。
【図面の簡単な説明】
【００２３】
【図１】本考案に係わる廃棄物処理装置搭載トラックの全体を示す側面図である。
【図２】同上の平面図である。
【符号の説明】
【００２４】
１  廃棄物処理装置搭載トラック
２  荷台
３  裁断装置
４  固形圧縮装置
５  発電装置
６  スクリューコンベア
【図１】
0003112879.tif 000003
【図２】
0003112879.tif 000004